(57)【要約】【課題】  再生部と表示部が一体となった機器で内蔵された表示部で映像を表示するような、録画を目的とした機器に出力しないことが明らかな場合には映像信号にコピーガード信号を重畳しないで出力することで、劣化のない画質で映像を楽しむことのできる映像再生表示装置を提供することを目的とする。【解決手段】  コピープロテクト信号が重畳されたデジタル映像信号をアナログ映像信号に変換する変換手段と、前記アナログ映像信号による映像を表示する表示手段と、前記アナログ映像信号を外部機器へ出力する出力部と、を備えた映像再生表示装置において、前記変換手段は、前記アナログ映像信号が前記出力部に出力される場合は、前記コピープロテクト信号に基づいて前記アナログ映像信号にコピープロテクトを施し、前記アナログ映像信号が表示手段に出力される場合はコピープロテクトを施さない。【選択図】        図１
2005130024.tif 000002
【特許請求の範囲】
【請求項１】
コピープロテクト信号が重畳されたデジタル映像信号をアナログ映像信号に変換する変換手段と、前記アナログ映像信号による映像を表示する表示手段と、前記アナログ映像信号を外部機器へ出力する出力部と、を備えた映像再生表示装置において、
前記変換手段は、前記アナログ映像信号が前記出力部に出力される場合は、前記コピープロテクト信号に基づいて前記アナログ映像信号にコピープロテクトを施し、前記アナログ映像信号が表示手段に出力される場合はコピープロテクトを施さないことを特徴とする映像再生表示装置。
【請求項２】
ＤＶＤディスクを再生する再生手段を備え、
前記変換手段は、前記再生手段により再生されたデジタル映像信号をアナログ映像信号に変換することを特徴とする請求項１に記載の映像再生表示装置。
【請求項３】
放送を受信する受信手段を備え、
前記変換手段は、前記受信手段により受信されたデジタル映像信号をアナログ映像信号に変換することを特徴とする請求項１に記載の映像再生表示装置。
【発明の詳細な説明】
【技術分野】
【０００１】
本発明は、デジタル放送やＤＶＤのような記憶媒体からデジタル映像信号を再生し表示する映像再生表示装置に関する。
【背景技術】
【０００２】
従来、映像信号の違法コピーを防止する技術としては、映像信号のバースト期間にコピーガード信号を付加するマクロビジョン仕様がある。このマクロビジョン仕様に対応するアナログ方式のＶＴＲによって映像信号をコピーしようとすると、映像信号と共にダミーの同期信号及びカラーバースト信号がビデオテープに記録され、映像信号の正常な再生が妨げられる。これによって、映像信号の違法コピーが防止できる。
【０００３】
詳述すれば、通常３．５８ＭＨｚで８波のカラーバーストがバックポーチに挿入されているが、前半の５．５波を同相、後半の５．５波を逆相とするような異常バーストが挿入されている。このようなカラーバーストが所定Ｈに存在する。例えば１７Ｈ毎に連続する２Ｈあるいは２２Ｈ毎に連続する４Ｈのカラーバーストがこのような反転バーストとなっている。
【０００４】
このような映像信号を録画、再生しようとすると、擬似水平同期信号により、記録装置の記録部において自動利得制御が行われる際、自動利得制御回路が誤動作する。また、反転カラーバーストにより、色信号記録部において隣接トラックとの色信号のクロストロークを改善するための色信号クロストローク改善回路を誤動作させることにより、録画された映像の再生画質が実用に堪えられないレベルに劣化させられる。
【０００５】
ＤＶＤ−Ｖｉｄｅｏ方式では、このようなマクロビジョン仕様に対応するため、コピープロテクト情報を書き込むエリアが予め設けられている。従来のＤＶＤ再生装置では、ディスクから映像信号を再生するとき、このコピープロテクト情報を検出し、検出結果に応じて映像信号にコピーガード信号を付加していた。
【発明の開示】
【発明が解決しようとする課題】
【０００６】
しかしながら、上述したコピーガード信号の付加された映像信号は、反転バーストラインと正常バーストライン間において色相や色飽和度の相違等により画質が劣化する。
【０００７】
本発明は上記の点に鑑みなされたものであり、例えば、再生部と表示部が一体となった機器で内蔵された表示部で映像を表示するような、録画を目的とした機器に出力しないことが明らかな場合には映像信号にコピーガード信号を重畳しないで出力することで、劣化のない画質で映像を楽しむことのできる映像再生表示装置を提供することを目的とする。
【課題を解決するための手段】
【０００８】
上記目的を達成するために本発明の映像再生表示装置は、コピープロテクト信号が重畳されたデジタル映像信号をアナログ映像信号に変換する変換手段と、前記アナログ映像信号による映像を表示する表示手段と、前記アナログ映像信号を外部機器へ出力する出力部と、を備えた映像再生表示装置において、前記変換手段は、前記アナログ映像信号が前記出力部に出力される場合は、前記コピープロテクト信号に基づいて前記アナログ映像信号にコピープロテクトを施し、前記アナログ映像信号が表示手段に出力される場合はコピープロテクトを施さない。
【０００９】
また、上記の映像再生表示装置はＤＶＤディスクを再生する再生手段を備え、前記変換手段は、前記再生手段により再生されたデジタル映像信号をアナログ映像信号に変換する。
【００１０】
また、上記の映像再生表示装置は放送を受信する受信手段を備え、前記変換手段は、前記受信手段により受信されたデジタル映像信号をアナログ映像信号に変換する。
【発明の効果】
【００１１】
本発明の映像再生表示装置においては、録画を目的とした機器に出力しないことが明らかな場合には映像信号にコピーガード信号を重畳しないで出力することで、劣化のない画質で映像を楽しむことのできる。
【発明を実施するための最良の形態】
【００１２】
以下に本発明の実施形態を図面を参照して説明する。図１は実施の形態の要部の構成を示すブロック図である。本実施の形態はＤＶＤ等に記録されたデジタル映像信号を再生する再生部と表示部とが一体になった映像再生表示装置である。
【００１３】
この映像再生表示装置１は、制御回路２によって装置１全体の各回路等が制御される。ＤＶＤ―Ｖｉｄｅｏディスク３からＲＦ信号を再生するピックアップ４を含む。ピックアップ４によって再生されたＲＦ信号は、ＲＦ回路５によって波形等化処理および２値化処理を施される。このような処理を施された再生データは、続いてデータデコーダ６によってデータ復調や誤り訂正等のデコード処理を施される。
【００１４】
同様にアンテナ７を介してチューナ８で受信された信号もデータデコーダ６によってデコード処理が施される。
【００１５】
デマルチプロセッサ９は、デコード処理が施された再生データを受け、この再生データを主映像圧縮データ、副映像圧縮データ、及び音声圧縮データに振り分ける。主圧縮データはビデオデコーダ１０に与えられ、副映像圧縮データは副圧縮デコーダ１１に与えられ、音声圧縮データはオーディオデコーダ１２に与えられる。
【００１６】
ビデオデコーダ１０は、主映像圧縮データに信号処理を施し、復号された主映像データを出力する。主映像圧縮データはＭＰＥＧ２方式等で圧縮されたデータであり、ビデオデコーダ１０は、Ｉピクチャ、Ｐピクチャ及びＢピクチャに異なる復号処理を施して主映像データを生成する。ビデオデコーダ１０は生成した主映像データを副映像デコーダ１１に供給する。
【００１７】
副映像デコーダ１１は、副映像圧縮データに復号処理を施し、復号された復号データをビデオデコーダ１０から供給された主映像データと合成する。すなわち、副映像デコーダ１１は、字幕のうような副映像を主映像と合成する。これによって主映像成分及び副映像成分の両方を含む映像データが生成される。なお、副映像データが無い場合には、主映像データがそのまま映像データとして出力される。
【００１８】
副映像デコーダ１１から出力された映像データは、ＮＴＳＣエンコーダ１３に与えられる。ＮＴＳＣエンコーダ１４は、映像データからＮＴＳＣ方式のコンポジット映像信号を生成する。つまり、デジタル信号である映像データをアナログ信号である映像データに変換し、かつ変換された映像信号に同期信号やカラーバースト信号を付加してＮＴＳＣ方式のコンポジット映像信号を生成する。生成されたコンポジット映像信号は、図２に示すように、制御回路２の指示に基づき、切替キー１４によって選択された出力先に応じて（ステップＳ１）、表示手段１５又はコピーガード信号付加回路１６に入力される（ステップＳ２，Ｓ３）。すなわち、切替キー１４によって映像信号の出力先が映像再生表示装置に内蔵された表示手段に出力されるように選択されている場合は、コンポジット映像信号は表示手段に１４に入力され、出力端子１７を介して外部機器に出力されるように選択されている場合は、コピーガード信号付加回路１６に入力される。
【００１９】
コピーガード信号付加回路１６は、ＤＶＤ−Ｖｉｄｅｏディスク２に記録されたコピープロテクト情報、又は受信したコピープロテクト情報に応じて、マクロビジョン仕様のアナログコピーガード信号をコンポジット映像信号のブランキング期間に付加する。出力端子１７からはこのようなコピープロテクトが施されたコンポジット映像信号が出力される。
【００２０】
この結果、外部の機器に出力する場合はコピープロテクトが施されたコンポジット信号が出力され不法コピーを防止し、内蔵された表示手段１５で表示する場合はコピープロテクトが施されていないコンポジット信号を出力するので、内蔵された表示手段１５で表示される映像は劣化の無い表示が可能となる。
【００２１】
なお、上述した実施例では映像を表示手段１５に表示させるように選択されている場合は、ＮＴＳＣエンコーダ１２から表示手段１５にコンポジット映像信号を出力し、機器の外部に出力されるように選択された場合は、コンポジット映像信号をコピーガード信号付加回路１６に出力するようにしたが、どちらが選択されてもコンポジット映像信号はコピーガード信号付加回路１６に入力し、選択内容によって、コピーガード信号付加回路１６でコピーガード信号を付加するかしないかを選択し夫々へ出力するようにしてもよい。
【００２２】
一方、オーディオデコーダ１２は、音声圧縮データの復号処理を行い、復号された音声データを出力する。音声圧縮データもまたＭＰＥＧ方式等で圧縮されたデータであり、オーディオデコーダ１２は、所定の伸張処理をして音声データを生成する。生成された音声データはＤ／Ａ変換回路１８でアナログ信号に変換された後、スピーカ１９に出力される。
【図面の簡単な説明】
【００２３】
【図１】本発明の映像再生表示装置の要部の構成を示すブロック図である。
【図２】本発明の動作を示すフローチャートである。
【符号の説明】
【００２４】
２      制御回路
１０    ビデオデコーダ
１１    副映像デコーダ
１３    ＮＴＳＣエンコーダ
１５    表示手段
１６    コピーガード信号付加回路
１７    外部出力端子
【図１】
2005130024.tif 000003
【図２】
2005130024.tif 000004